(57)【要約】【課題】  一挙動でウエーブを付けることができるヘアーアイロンを、開閉する加熱部を直接手で握って閉じることができるようにする。【解決手段】  開閉自在とした一対の加熱部を手で握って閉じることを可能としたヘアーアイロンにおいて、中央の凹状半円加熱面１０Ａの両端に、左右の一対の凸状半円加熱面１０Ｂ、１０Ｂの内側端を連続させてウエーブ状とした加熱面を有する左右凸状中央凹状加熱部１０と、中央の凸状半円加熱面２０Ａの両端に、左右の一対の凹状半円加熱面２０Ｂ、２０Ｂの内側端を連続させてウエーブ状とした加熱面を有する左右凹状中央凸状加熱部２０をもって一対の加熱部とし、左右凸状中央凹状加熱部１０の表面に断熱性に富む素材からなる板状の指先接触部１２を設けるとともに、左右凹状中央凸状加熱部２０の表面に断熱性に富む素材からなる板状の指先接触部２２を設ける。【選択図】      図５
2013220279.tif 000002
【特許請求の範囲】
【請求項１】
ヒンジ部（３）をもって鰐口状に開閉自在とするとともに開放方向に付勢力を与えた一対の加熱部を手で握って閉じることを可能としたヘアーアイロンにおいて、中央の凹状半円加熱面（１０Ａ）の両端に、左右の一対の凸状半円加熱面（１０Ｂ、１０Ｂ）の内側端を連続させてウエーブ状とした加熱面を有する左右凸状中央凹状加熱部（１０）と、中央の凸状半円加熱面（２０Ａ）の両端に、左右の一対の凹状半円加熱面（２０Ｂ、２０Ｂ）の内側端を連続させてウエーブ状とした加熱面を有する中央凸状加熱部（２０）をもって一対の加熱部とし、これらの加熱部は閉じたときに左右凸状中央凹状加熱部（１０）の中央の凹状半円加熱面（１０Ａ）に左右凹状中央凸状加熱部（２０）の中央の凸状半円加熱面（２０Ａ）が内接するとともに、左右凸状中央凹状加熱部（１０）の左右の一対の凸状半円加熱面（１０Ｂ、１０Ｂ）に左右凹状中央凸状加熱部（２０）の左右の一対の凹状半円加熱面（２０Ｂ、２０Ｂ）が外接するようにし、左右凸状中央凹状加熱部（１０）の表面に断熱性に富む素材からなる板状の指先接触部（１２）を設けるとともに、左右凹状中央凸状加熱部（２０）の表面に断熱性に富む素材からなる板状の指先接触部（２２）を設けたことを特徴とするヘアーアイロン。
【請求項２】
指先接触部はプラスチックにより構成される請求項１記載のヘアーアイロン。
【発明の詳細な説明】
【技術分野】
【０００１】
この発明は加熱により髪の毛にくせ付けを行ない、特にウェーブなどのスタイリングを実現するために使用するヘアーアイロンに関する。
【背景技術】
【０００２】
電気加熱手段を備えたアイロン棒からグリップを延設すると共に、上記アイロン棒の表面に接離すべき押さえ板を設けた構成よりなるクリップレバー式のヘアーアイロンが公知である（特許文献１、２）。この種のヘアーアイロンは加熱したアイロン棒と閉止方向に付勢される押さえ板との間に髪の毛を挟んだ状態で、グリップを手で軸方向に回転させることによりアイロン棒に髪の毛を巻き付けて屈曲させ、アイロン棒による加熱によりカールやウェーブなどのくせ付けを行なう。
【０００３】
一方、閉開可能に枢着された１対の腕体の先端部に、この腕体の閉開に伴って近接離反する毛髪挟持部がそれぞれ形成され、一方の毛髪挟持部に腕体の延在方向に延長して凹条が形成されると共に、他方の毛髪挟持部に腕体の延在方向に延長して凸条が形成され、前記凹条は、左右の側面と、この側面間にそれぞれ屈折角部を介して連続した底面とで形成されると共に、この底面に少なくとも１ヶ所以上の屈折角部が形成され、前記凸条は、左右の側面と、この側面間にそれぞれ屈折角部を介して連続した頂面とで形成されると共に、この頂面に少なくとも１ヶ所以上の屈折角部が形成されて、前記凹条に噛み合うように形成されていることを特徴とするヘアーアイロンも公知である（特許文献３）。
【先行技術文献】
【特許文献】
【０００４】
【特許文献１】実用新案登録第３１４７９１１号公報
【特許文献２】特開２００５ー１９８９８４号公報
【特許文献３】実登３０７０４２６号公報
【発明の概要】
【発明が解決しようとする課題】
【０００５】
前者の従来技術のヘアーアイロンはアイロン棒と押さえ板との間に髪の毛を挟んだ状態で、グリップを手で軸方向に回転させることにより髪の毛を巻き付けて使用に供するので、大きめの緩めのウエーブなどのスタイリングを実現するためにはそれ相応の技術が必要となった。また、アイロン棒は高熱となるので、それを直接手で握って操作することはできなかった。
【０００６】
これに対し、後者の従来技術のヘアーアイロンは一挙動でウエーブを付けることが可能となるが、凸状と凹状の連続部を角状としているのでウエーブのつなぎ目において髪の根本近くが折れ曲げられた状態で癖がつくおそれがあった。
【課題を解決するための手段】
【０００７】
この発明は前記の問題を解消したヘアーアイロンを提供することを目的としたものである。すなわち、この発明においては、ヒンジ部３をもって鰐口状に開閉自在とするとともに開放方向に付勢力を与えた一対の加熱部を手で握って閉じることを可能としたヘアーアイロンにおいて、中央の凹状半円加熱面１０Ａの両端に、左右の一対の凸状半円加熱面１０Ｂ、１０Ｂの内側端を連続させてウエーブ状とした加熱面を有する左右凸状中央凹状加熱部１０と、中央の凸状半円加熱面２０Ａの両端に、左右の一対の凹状半円加熱面２０Ｂ、２０Ｂの内側端を連続させてウエーブ状とした加熱面を有する中央凸状加熱部２０をもって一対の加熱部とし、これらの加熱部は閉じたときに左右凸状中央凹状加熱部１０の中央の凹状半円加熱面１０Ａに左右凹状中央凸状加熱部２０の中央の凸状半円加熱面２０Ａが内接するとともに、左右凸状中央凹状加熱部１０の左右の一対の凸状半円加熱面１０Ｂ、１０Ｂに左右凹状中央凸状加熱部２０の左右の一対の凹状半円加熱面２０Ｂ、２０Ｂが外接するようにし、左右凸状中央凹状加熱部１０の表面に断熱性に富む素材からなる板状の指先接触部１２を設けるとともに、左右凹状中央凸状加熱部２０の表面に断熱性に富む素材からなる板状の指先接触部２２を設けたことを特徴とする。
【発明の効果】
【０００８】
この発明においては、ウエーブ状のくせをつけるための加熱部がアイロン棒でなく、ウエーブ状となっており、具体的には中央の凹状半円箇所の両端部に、左右の一対の凸状半円箇所の内側端部を連続させてウエーブ状とした左右凸状中央凹状加熱部と、中央の凸状半円箇所の両端部に、左右の一対の凹状半円箇所の内側端部を連続させてウエーブ状とした左右凹状中央凸状加熱部としている。よって、前記後者の従来技術のヘアーアイロンにおけるような中途の角状部が存しないので、ウエーブのつなぎ目において髪の根本近くが折れ曲げられた状態で癖がつくおそれがない。
【０００９】
そして、左右凸状中央凹状加熱部の表面に断熱性に富む素材からなる板状の指先接触部を設けるとともに、左右凹状中央凸状加熱部の表面に断熱性に富む素材からなる板状の指先接触部を設け、加熱面からの熱を緩衝するので、開閉する加熱部を直接手で握って閉じることができ、アイロンによるくせ付け操作がより容易となる。
【００１０】
前記の場合、鰐口状に開閉する一対の加熱部は開放方向に付勢力を与えられているので、断熱性に富む素材からなる板状の指先接触部に指を当て、開閉する加熱部を付勢力に抗して直接手で握って閉じることになる。その結果、閉止方向に付勢力が与えられるクリップレバー式と違い、使用者の握り加減により髪の毛を挟み込むプレス圧を調整でき、強度のウェーブ付けから、緩やかなふわっとしたウエーブ付けまでウエーブの強弱を自在に調整し、思った通りのウエーブを容易に実現することが可能となる。
【図面の簡単な説明】
【００１１】
【図１】この発明のヘアーアイロンの左側面図。
【図２】同上、右側面図。
【図３】同上、平面方向から観察した斜視図。
【図４】同上、底面方向から観察した斜視図。
【図５】同上、加熱部を開いた状態の左側面図。
【図６】同上、加熱部を開いた状態の平面方向から観察した斜視図。
【図７】同上、加熱部を開いた状態の底面方向から観察した斜視図。
【図８】同上、正面図。
【図９】同上、平面図。
【図１０】同上、底面図。
【発明を実施するための最良の形態】
【００１２】
以下、この発明の具体的実施例を添付図面に基づいて説明する。図７はこの発明のヘアーアイロンの全体を示す図である。このヘアーアイロンはヒンジ部３をもって鰐口状に開閉自在とした一対の加熱部１０、２０を手で握って閉じることにより髪の毛を加熱しながら挟持して髪の毛にウエーブ状のくせをつける機能を有する。前記加熱部１０はアーム１に、同じく加熱部２０はアーム１を介してヒンジ部３に連結され、ヒンジ部には図示しないバネが内蔵されることにより、アーム１、２の開放方向に付勢力を与える。よって、加熱部１０、２０は付勢力により常時開放され、閉止は付勢力に抗して行うこととなる。
【００１３】
前記の加熱部１０、２０の加熱面はウエーブ状に構成される。すなわち、加熱部１０は中央の凹状半円加熱面１０Ａの両端に、左右の一対の凸状半円加熱面１０Ｂ、１０Ｂの内側端を連続させてウエーブ状とした加熱面を有する左右凸状中央凹状加熱部１０であり、加熱部２０は中央の凸状半円加熱面２０Ａの両端に、左右の一対の凹状半円加熱面２０Ｂ、２０Ｂの内側端を連続させてウエーブ状とした加熱面を有する左右凹状中央凸状加熱部２０である（図１、５参照）。この実施例においては前記の凹状半円加熱面１０Ａおよび、その左右の一対の凸状半円加熱面１０Ｂ、１０Ｂと、左右の一対の凹状半円加熱面２０Ｂ、２０Ｂおよび、その中央の凸状半円加熱面２０Ａは、それぞれ一枚の連続した金属プレート（ここではアルミ板を採用）により構成される。また、これらの金属プレートの表面にはセラミックとトルマリンがコーティングされる。
【００１４】
前記の加熱部は、閉じたときに左右凸状中央凹状加熱部１０の中央の凹状半円加熱面１０Ａに左右凹状中央凸状加熱部２０の中央の凸状半円加熱面２０Ａが内接するとともに、左右凸状中央凹状加熱部１０の左右の一対の凸状半円加熱面１０Ｂ、１０Ｂに左右凹状中央凸状加熱部２０の左右の一対の凹状半円加熱面２０Ｂ、２０Ｂが外接するように構成される。そして、その際に左右凸状中央凹状加熱部１０の左右の一対の凸状半円加熱面１０Ｂ、１０Ｂの外側に外接される左右凹状中央凸状加熱部２０の左右の一対の凹状半円加熱面２０Ｂ、２０Ｂの両端面Ｒ、Ｒに丸みが持たされる。
【００１５】
よって、従来技術のヘアーアイロンにおけるような両端部において凸状に噛み合う凹状の端部の角部が存しないので、この箇所で髪の根本近くが折れ曲げられた状態で癖がつくおそれがない。特にこの箇所を加熱部を閉じた状態で上に引き上げた際に挟んだ髪の毛に大きな力が加わる部分なので丸みを持たせたことによる効果は大きい。
【００１６】
また、左右凸状中央凹状加熱部１０において、特に左右の一対の凸状半円加熱面１０Ｂ、１０Ｂの裏面に肉厚部１１、１１が設けられるとともに、左右凹状中央凸状加熱部２０において、特に中央の凸状半円加熱面２０Ａの裏面に肉厚部２１が設けられる。これらの肉厚部は加熱面からの熱を緩衝する作用を果たす。
【００１７】
図中符号、１２、２２は指先接触部である。これらの指先接触部は断熱性に富む素材（ここではプラスチックを採用）からなる板状の部材であり、一対の加熱部１０、２０を手で握って閉じた際に指先があたる箇所に設けられる。ここでは前記の一対の凸状半円加熱面１０Ｂ、１０Ｂの裏面の肉厚部１１、１１の表面に指先接触部１２を、凸状半円加熱面２０Ａの裏面に肉厚部２２を設けている。これらの指先接触部は加熱面からの熱を緩衝し、指先に熱さを伝えることを遮断する機能を果たす。ここでは、さらにその表面に多数の短いフィン状の突起を突設して、突起と突起の間から放熱することにより遮断効果をより高めている。
【符号の説明】
【００１８】
１０                左右凸状中央凹状加熱部
１０Ａ              凹状半円加熱面      
１０Ｂ              凸状半円加熱面
１２                指先接触部
２０                左右凹状中央凸状加熱部
２０Ａ              凸状半円加熱面
２０Ｂ              凹状半円加熱面
２２                指先接触部
Ｒ                  両端面
【図１】
2013220279.tif 000003
【図２】
2013220279.tif 000004
【図３】
2013220279.tif 000005
【図４】
2013220279.tif 000006
【図５】
2013220279.tif 000007
【図６】
2013220279.tif 000008
【図７】
2013220279.tif 000009
【図８】
2013220279.tif 000010
【図９】
2013220279.tif 000011
【図１０】
2013220279.tif 000012